【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
画像表示手段と、
内部抽せん手段と、
リール制御手段と、を備え、
電源断を検出した場合には、電源断時処理を実行し得るよう構成されており、
前記内部抽せん手段の決定結果として所定の結果を決定し、前記複数のリールのうち未だストップスイッチの操作を検出していない残り一つの所定のリールが回転しているときに、当該所定のリールに対応する所定のストップスイッチの操作を所定のタイミングで検出した結果、前記所定の結果に対応する所定図柄組合せが停止すると前記所定図柄組合せに対応する遊技媒体を付与し得るよう構成されており、
前記内部抽せん手段の決定結果として前記所定の結果を決定し、前記複数のリールのうち未だストップスイッチの操作を検出していない残り一つの前記所定のリールが回転しているときに、当該所定のリールに対応する前記所定のストップスイッチの操作を前記所定のタイミングで検出したにもかかわらず、電源断を検出したことにより前記複数のリールが停止した状況において前記所定図柄組合せが停止しなかったときでも、電源復帰後に前記所定図柄組合せに対応する遊技媒体を付与し得るよう構成されており、
前記リール制御手段は、特定のリールを加速させるための加速処理を所定期間に亘って実行し得るよう構成されており、
前記特定のリールを加速させるための加速処理を実行している前記所定期間において電源断を検出し、その後電源復帰すると、当該所定期間の残りの期間で前記特定のリールを加速させるための加速処理を続きから実行し得るよう構成されており、
所定の条件を満たしたときに、遊技者に有利なストップスイッチの操作態様を報知可能な所定の遊技状態を開始可能とし、
前記所定の遊技状態の終了情報を前記画像表示する際に、遊技者の遊技へののめり込みを防止するための注意喚起情報を前記画像表示手段に表示可能とし、
遊技待機中に、遊技者の遊技へののめり込みを防止するための注意喚起情報を含むデモ演出を前記画像表示手段に表示可能とし、
前記所定の遊技状態の終了情報を前記画像表示手段に表示する際に遊技者の遊技へののめり込みを防止するための注意喚起情報を前記画像表示手段に表示している時間をＴ１、前記デモ演出を表示している際に遊技者の遊技へののめり込みを防止するための注意喚起情報を前記画像表示手段に表示している時間をＴ２としたとき、Ｔ１＞Ｔ２となるように構成されていることを特徴とする遊技機。
【請求項２】
複数のリールと、
複数のストップスイッチと、
画像表示手段と、
内部抽せん手段と、
リール制御手段と、を備え、
電源断を検出した場合には、電源断時処理を実行し得るよう構成されており、
前記内部抽せん手段の決定結果として所定の結果を決定し、前記複数のリールのうち未だストップスイッチの操作を検出していない残り一つの所定のリールが回転しているときに、当該所定のリールに対応する所定のストップスイッチの操作を所定のタイミングで検出した結果、前記所定の結果に対応する所定図柄組合せが停止すると前記所定図柄組合せに対応する遊技媒体を付与し得るよう構成されており、
前記内部抽せん手段の決定結果として前記所定の結果を決定し、前記複数のリールのうち未だストップスイッチの操作を検出していない残り一つの前記所定のリールが回転しているときに、当該所定のリールに対応する前記所定のストップスイッチの操作を前記所定のタイミングで検出したにもかかわらず、電源断を検出したことにより前記複数のリールが停止した状況において前記所定図柄組合せが停止しなかったときでも、電源復帰後に前記所定図柄組合せに対応する遊技媒体を付与し得るよう構成されており、
前記リール制御手段は、特定のリールを加速させるための加速処理を所定期間に亘って実行し得るよう構成されており、
前記特定のリールを加速させるための加速処理を実行している前記所定期間において電源断を検出し、その後電源復帰すると、当該所定期間の残りの期間で前記特定のリールを加速させるための加速処理を続きから実行し得るよう構成されており、
所定の条件を満たしたときに、遊技者に有利なストップスイッチの操作態様を報知可能な所定の遊技状態を開始可能とし、
前記所定の遊技状態の終了情報を前記画像表示する際に、遊技者の遊技へののめり込みを防止するための注意喚起情報を前記画像表示手段に表示可能とし、
遊技待機中に、遊技者の遊技へののめり込みを防止するための注意喚起情報を含むデモ演出を前記画像表示手段に表示可能とし、
前記所定の遊技状態の終了情報を前記画像表示手段に表示する際に遊技者の遊技へののめり込みを防止するための注意喚起情報を前記画像表示手段に表示している時間をＴ１、前記デモ演出を表示している際に遊技者の遊技へののめり込みを防止するための注意喚起情報を前記画像表示手段に表示している時間をＴ２としたとき、Ｔ１≦Ｔ２となるように構成されていることを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本明細書に記載する発明（以下「本発明」と称する）は、スロットマシンやぱちんこ機等の遊技機（リールの停止操作が行われないカジノマシンを含む）に関する。
【手続補正４】
【補正対象書類名】明細書
【補正対象項目名】００１５
【補正方法】変更
【補正の内容】
【００１５】
本発明はこのような事情に鑑みなされたもので、遊技者にとって不利となり得る状況下で遊技が進められることを防止可能な遊技機を提供することを目的とする。
【手続補正５】
【補正対象書類名】明細書
【補正対象項目名】００１６
【補正方法】変更
【補正の内容】
【００１６】
本発明に係る下記の遊技機は、以下のような特徴を備えている。なお、以下の特徴構成の説明では、後述する実施形態において対応する構成の一例を括弧書きで示している。
本発明に係る第１の遊技機は、複数のリールと、複数のストップスイッチと、画像表示手段と、内部抽せん手段と、リール制御手段と、を備え、電源断を検出した場合には、電源断時処理を実行し得るよう構成されており、前記内部抽せん手段の決定結果として所定の結果を決定し、前記複数のリールのうち未だストップスイッチの操作を検出していない残り一つの所定のリールが回転しているときに、当該所定のリールに対応する所定のストップスイッチの操作を所定のタイミングで検出した結果、前記所定の結果に対応する所定図柄組合せが停止すると前記所定図柄組合せに対応する遊技媒体を付与し得るよう構成されており、前記内部抽せん手段の決定結果として前記所定の結果を決定し、前記複数のリールのうち未だストップスイッチの操作を検出していない残り一つの前記所定のリールが回転しているときに、当該所定のリールに対応する前記所定のストップスイッチの操作を前記所定のタイミングで検出したにもかかわらず、電源断を検出したことにより前記複数のリールが停止した状況において前記所定図柄組合せが停止しなかったときでも、電源復帰後に前記所定図柄組合せに対応する遊技媒体を付与し得るよう構成されており、前記リール制御手段は、特定のリールを加速させるための加速処理を所定期間に亘って実行し得るよう構成されており、前記特定のリールを加速させるための加速処理を実行している前記所定期間において電源断を検出し、その後電源復帰すると、当該所定期間の残りの期間で前記特定のリールを加速させるための加速処理を続きから実行し得るよう構成されており、所定の条件を満たしたときに、遊技者に有利なストップスイッチの操作態様を報知可能な所定の遊技状態を開始可能とし、前記所定の遊技状態の終了情報を前記画像表示する際に、遊技者の遊技へののめり込みを防止するための注意喚起情報を前記画像表示手段に表示可能とし、遊技待機中に、遊技者の遊技へののめり込みを防止するための注意喚起情報を含むデモ演出を前記画像表示手段に表示可能とし、前記所定の遊技状態の終了情報を前記画像表示手段に表示する際に遊技者の遊技へののめり込みを防止するための注意喚起情報を前記画像表示手段に表示している時間をＴ１、前記デモ演出を表示している際に遊技者の遊技へののめり込みを防止するための注意喚起情報を前記画像表示手段に表示している時間をＴ２としたとき、Ｔ１＞Ｔ２となるように構成されていることを特徴とする。
本発明に係る第２の遊技機は、複数のリールと、複数のストップスイッチと、画像表示手段と、内部抽せん手段と、リール制御手段と、を備え、電源断を検出した場合には、電源断時処理を実行し得るよう構成されており、前記内部抽せん手段の決定結果として所定の結果を決定し、前記複数のリールのうち未だストップスイッチの操作を検出していない残り一つの所定のリールが回転しているときに、当該所定のリールに対応する所定のストップスイッチの操作を所定のタイミングで検出した結果、前記所定の結果に対応する所定図柄組合せが停止すると前記所定図柄組合せに対応する遊技媒体を付与し得るよう構成されており、前記内部抽せん手段の決定結果として前記所定の結果を決定し、前記複数のリールのうち未だストップスイッチの操作を検出していない残り一つの前記所定のリールが回転しているときに、当該所定のリールに対応する前記所定のストップスイッチの操作を前記所定のタイミングで検出したにもかかわらず、電源断を検出したことにより前記複数のリールが停止した状況において前記所定図柄組合せが停止しなかったときでも、電源復帰後に前記所定図柄組合せに対応する遊技媒体を付与し得るよう構成されており、前記リール制御手段は、特定のリールを加速させるための加速処理を所定期間に亘って実行し得るよう構成されており、前記特定のリールを加速させるための加速処理を実行している前記所定期間において電源断を検出し、その後電源復帰すると、当該所定期間の残りの期間で前記特定のリールを加速させるための加速処理を続きから実行し得るよう構成されており、所定の条件を満たしたときに、遊技者に有利なストップスイッチの操作態様を報知可能な所定の遊技状態を開始可能とし、前記所定の遊技状態の終了情報を前記画像表示する際に、遊技者の遊技へののめり込みを防止するための注意喚起情報を前記画像表示手段に表示可能とし、遊技待機中に、遊技者の遊技へののめり込みを防止するための注意喚起情報を含むデモ演出を前記画像表示手段に表示可能とし、前記所定の遊技状態の終了情報を前記画像表示手段に表示する際に遊技者の遊技へののめり込みを防止するための注意喚起情報を前記画像表示手段に表示している時間をＴ１、前記デモ演出を表示している際に遊技者の遊技へののめり込みを防止するための注意喚起情報を前記画像表示手段に表示している時間をＴ２としたとき、Ｔ１≦Ｔ２となるように構成されていることを特徴とする。
【手続補正６】
【補正対象書類名】明細書
【補正対象項目名】００１７
【補正方法】変更
【補正の内容】
【００１７】
参考としての遊技機の基板ケースユニットは、第１ケース部材（例えば、第９実施形態におけるケース本体７２１）と、前記第１ケース部材と結合可能な第２ケース部材（例えば、第９実施形態におけるケース蓋７４１）と、前記第１ケース部材と前記第２ケース部材とが結合して形成されるケース内部に収容され、遊技機の作動に関する制御を行う制御基板とを備えた遊技機の基板ケースユニットであって、前記第１ケース部材は、前記第１ケース部材の一方側（例えば、第９実施形態における前側）の面に形成されて前記第１ケース部材と結合した前記第２ケース部材の前記一方側の面に隣接する第１隣接面部（例えば、第９実施形態における本体側隣接面部７３１）と、前記第１隣接面部に前記一方側に突出して形成された第１刻印部（例えば、第９実施形態における本体側機種名刻印部７３２）とを有して、成型加工により作製され、前記第２ケース部材は、前記第２ケース部材の前記一方側の面に形成されて前記第２ケース部材と結合した前記第１ケース部材の前記第１隣接面部に隣接する第２隣接面部（例えば、第９実施形態における蓋側隣接面部７５１）と、前記第２隣接面部に前記一方側に突出して形成された第２刻印部（例えば、第９実施形態における蓋側機種名刻印部７５２）とを有して、成型加工により作製され、前記第１ケース部材と前記第２ケース部材とが結合して前記ケース内部に前記制御基板が収容され、前記第１隣接面部と前記第２隣接面部とが隣接する状態で、前記第１刻印部と前記第２刻印部とが隣接して一体的な刻印が形成され、レーザーマーキングにより、前記一体的な刻印と異なる印形状を有するマーキング部が前記第１刻印部と前記第２刻印部とに跨って形成される。
【手続補正７】
【補正対象書類名】明細書
【補正対象項目名】００１８
【補正方法】変更
【補正の内容】
【００１８】
上記遊技機によれば、遊技者にとって不利となり得る状況下で遊技が進められることを防止することができる。